(57)【要約】【課題】野球における対戦相手チームの分析をより効率的に行えるようにする。【解決手段】スコアシート４の中央には、記入表７Ｌ及び７Ｒがある。記入表７Ｌ及び７Ｒには、捕手のミットの構え位置と投手がその構えに対して投げたボールの収まり位置を二段併記する記入欄１５ＵＤ−ｉ及び１５ＬＲ−ｉが一方向に並べて配されている。スコアラーは、一試合における最初の投球から最後の投球までの記入欄１５ＵＤ−ｉ及び１５ＬＲ−ｉの記録内容を様々な切り口で分類し、各々を統計情報化し、分析対象チームに対する戦略を立てる。【選択図】図１
2014094049.tif 000002
【特許請求の範囲】
【請求項１】
捕手のミットの構え位置と投手が前記ミットの構えに対して投げたボールの収まり位置を二段併記するコース記入欄を所定の投球数分だけ一方向に並べて配した記入表が紙の一面にプリントされていることを特徴とする野球用スコアシート。
【請求項２】
前記コース記入欄は、前記構え位置及び前記収まり位置を上下及び左右の２方向に分解して上下二段併記する２つの記入欄を左右方向に並べて配したものであることを特徴とする請求項１に記載の野球用スコアシート。
【請求項３】
前記２つの記入欄内に、上下及び左右の各方向のコースの目印となる複数種類の文字が記されていることを特徴とする請求項２に記載の野球用スコアシート。
【発明の詳細な説明】
【技術分野】
【０００１】
この発明は、野球における対戦相手チームの分析を支援する技術に関する。
【背景技術】
【０００２】
特許文献１には、野球における自チームや対戦相手チームの戦力分析を支援する技術の開示がある。この文献に開示された野球プレイデータ処理システムは、野球スコアブックと、このスコアブックの記述内容を読み込む画像取得手段（スキャナ）と、この画像取得手段により読み取られた情報を解析するコンピュータ装置とを含んでいる。
【０００３】
このシステムの野球スコアブックは、所定サイズの紙の紙面に、フィールドレイアウト欄、カウント球種記入欄、打席結果情報記入欄、代打・代走記入欄を印刷したものである。スコアラーは、試合の１回から９回に至るイニング(延長戦を含む)毎の投手の投球や打撃の内容をこのスコアブックの該当欄に記入し、記入済みのスコアブックを画像取得手段によりスキャンする。この画像取得手段によりスキャンされた情報はコンピュータ装置に取り込まれる。コンピュータ装置は、画像取得手段から取り込んだ情報を基に、各打者の打球到達位置、打者進塁位置、打席結果を分析するとともに、投手の投球順に応じた球種、ストライク・ボール別の分析を行い、打者別に纏めた分析結果情報を印刷物として出力する。
【先行技術文献】
【特許文献】
【０００４】
【特許文献１】特開２００９−２７３７３７号公報
【発明の概要】
【発明が解決しようとする課題】
【０００５】
しかしながら、特許文献１の野球スコアブックは、コンピュータ装置による解析を前提としてレイアウトされたものであるため、コンピュータ装置を導入する資力のないチームによる利用には不向きであった。
【０００６】
本発明は、このような課題に鑑みてなされたものであり、野球における対戦相手チームの分析をより効率的に行えるようにすることを目的とする。
【課題を解決するための手段】
【０００７】
上記課題を解決するため、本発明は、捕手のミットの構え位置と投手が前記ミットの構えに対して投げたボールの収まり位置を二段併記するコース記入欄を所定の投球数分だけ一方向に並べて配した記入表が紙の一面にプリントされていることを特徴とする野球用スコアシートを提供する。
【０００８】
本発明の野球用スコアシートの記入表には、捕手のミットの構え位置と投手がその構えに対して投げたボールの収まり位置を二段併記するコース記入欄が一方向に並べて配されている。このため、分析者は、記入済みの記入表におけるコース記入欄を目視しただけで、投手の各投球における捕手のミットの構えと投手がその構えに対して投じたボールの収まり位置のずれを把握することができる。よって、本発明によると、捕手が左打者に対して外角低めを要求した場合、捕手が右打者に対して真中低めを要求した場合…、といった様々な切り口でコース記入欄の記録内容を分類して各々を簡単に統計情報化することができる。従って、本発明によると、特許文献１のような複雑なアルゴリズムを取り入れたコンピュータシステムに頼らずに、これと同様以上の信頼性を持った分析結果を得ることができる。
【図面の簡単な説明】
【０００９】
【図１】本発明の一実施形態である野球用スコアシートの正面図である。
【図２】同スコアシートの記入例を示す図である。
【図３】同スコアシートにおける試合経過記入欄を示す図である。
【発明を実施するための形態】
【００１０】
以下、図面を参照しつつ本発明の実施形態について説明する。図１は、本発明の一実施形態である野球用スコアシート４を示す図である。図２は、スコアシート４の記入例を示す図である。このスコアシート４は、分析対象チームのバッテリー（投手及び捕手）の配球傾向の分析のための情報の記録に用いられる。図１に示すように、スコアシート４は、定型サイズ（例えば、Ａ４サイズ）の白地の紙の一面に、記入欄５、記入欄６、記入表７Ｌ、記入表７Ｒ、記入表８、及び記入欄９をプリントしたものである。
【００１１】
より詳細に説明すると、紙面の上部左側には記入欄５がある。この記入欄５は、試合において対戦する両チーム（分析対象チームとその対戦相手チーム）のチーム名、試合の大会名、試合会場の球場、試合当日の天気、試合の開催日時を記入するためのものである。記入欄５内には、「ＶＳ」、「大会」、「球場」、「天気」、「年」、「月」、「日」の各文字が間隔をあけて記されている。スコアシート４の記入者であるスコアラーは、試合の開始前に記入欄５に該当の情報を記述する。
【００１２】
紙面の上部右側には記入欄６がある。この記入欄６は、試合において対戦する両チームの各イニングの得点を記入するためのものである。記入欄６内の上段のマスには、「１」〜「１５」の数字と「計」の文字が記されている。スコアラーは、試合の各イニングの終了時に記入欄６の該当のマスに得点を記入する。
【００１３】
紙面における記入欄５及び６の下には記入表７Ｌ及び７Ｒがある。記入表７Ｌ及び７Ｒは、僅かな間隔をあけて左右方向に離間している。記入表７Ｌは、２５個の試合経過記入欄１−１〜１−２５を縦方向に並べて配したものである。記入表７Ｌは、２５個の試合経過記入欄１−２６〜１−５０を縦方向に並べて配したものである。図３に示すように、記入表７Ｌ及び７Ｒにおける記入欄１−ｉ（ｉ＝１〜５０）の各々は１３個の記入欄１１−ｉ、１２−ｉ、１３−ｉ、１４−ｉ、１５ＵＤ−ｉ、１５ＬＲ−ｉ、１６−ｉ、１７−ｉ、１８−ｉ、１９−ｉ、２０−ｉ、２１−ｉに仕切られている。スコアラーは、分析対象チームの投手が捕手に向かって一球を投じる度に、記入欄１−ｉ内における各記入欄１１−ｉ、１２−ｉ、１３−ｉ、１４−ｉ、１５ＵＤ−ｉ、１５ＬＲ−ｉ、１６−ｉ、１７−ｉ、１８−ｉ、１９−ｉ、２０−ｉ、２１−ｉに該当の情報を記述する。記入欄１−ｉの構成の詳細は次の通りである。
【００１４】
図３において、記入欄１−ｉ内の左端には２段に分かれた記入欄１１−ｉ及び１２−ｉがある。記入欄１１−ｉ及び１２−ｉは正方形状をなしている。記入欄１１−ｉには、投手の各投球時のイニング数を記入する。記入欄１２−ｉには、投手の各投球時における投球数を記入する。
【００１５】
図３において、記入欄１１−ｉ及び１２−ｉの右隣りには、上下２段に分かれた記入欄１３−ｉ及び１４−ｉがある。記入欄１３−ｉ及び１４−ｉは、記入欄１１−ｉの５個分の左右幅を有している。記入欄１３−ｉ及び１４−ｉの上下幅は記入欄１１−ｉの上下幅と同じである。記入欄１３−ｉ内には、「右」、「左」、「順」の各文字が記されている。記入欄１４−ｉ内には、「死」、「塁」、「Ｓ」、「Ｂ」の各文字が記されている。記入欄１３−ｉ内には、投手の各投球時における打者の打席（右打ちまたは左打ち）とその打者の打順及び名前を記述する。記入欄１４−ｉには、投手の各投球時におけるアウトカウント、走者の居る塁、及びボールカウントを記述する。
【００１６】
具体的には、図２における記入欄１−1の記入例のように、記入欄１３−ｉ内の「右」及び「左」の両文字のうち該当のもの（記入欄１−1の例では、「右」）を丸で囲み、記入欄１３−ｉ内における「順」の右のスペースに打者の打順と名前（図２の例では、「１山内」）を記入する。また、記入欄１４−ｉ内における「死」の左のスペースにアウト数（記入欄１−1の例では、「０」）を記入し、「塁」の左のスペースに塁に居る走者の数（記入欄１−1の例では、「０」）を記入し、「Ｓ」の左のスペースにストライク数（記入欄１−1の例では、「０」）を記入し、「Ｂ」の左のスペースにボール数（記入欄１−1の例では、「０」）を記入する。
【００１７】
図３において、記入欄１３−ｉ及び１４−ｉの右隣りには記入欄１５ＵＤ−ｉ（コース記入欄）がある。記入欄１５ＵＤ−ｉは記入欄１１−ｉの１３個分の左右幅を有している。また、記入欄１５ＵＤ−ｉは記入欄１１−ｉの２個分の上下幅を有している。記入欄１５ＵＤ−ｉ内の上部と下部には、「地」、「・」、「・」、「膝」、「・」、「・」、「ベ」、「・」、「・」、「胸」、「・」、「顔」、「・」の各文字が２段併記されている。これらの文字のうち「地」は、上下方向における地面すれすれのコースの目印としての役割を果たす。「膝」は、上下方向における膝付近（ストライクゾーンの低め一杯）のコースの目印としての役割を果たす。「べ」は、上下方向におけるベルト付近（ストライクゾーンの真中）のコースの目印としての役割を果たす。「胸」は、上下方向における胸付近（ストライクゾーンの高め一杯）のコースの目印としての役割を果たす。「顔」は、上下方向における顔付近のコースの目印としての役割を果たす。
【００１８】
記入欄１５ＵＤ−ｉの右隣りには、記入欄１５ＬＲ−ｉ（コース記入欄）がある。記入欄１５ＬＲ−ｉは記入欄１１−ｉの９個分の左右幅を有している。また、記入欄１５ＬＲ−ｉは記入欄１１−ｉの２個分の上下幅を有している。記入欄１５ＬＲ−ｉ内の上部と下部には、「・」、「・」、「左」、「・」、「中」、「・」、「右」、「・」、「・」の各文字が２段併記されている。これらの文字のうち「左」は、ストライクゾーンにおける左右方向の左隅（左打者から見て外角一杯、右打者から見て内角一杯）付近のコースの目印としての役割を果たす。「中」は、ストライクゾーンの左右方向の真中付近のコースの目印としての役割を果たす。「右」は、ストライクゾーンの左右方向の右隅（左打者から見て内角一杯、右打者から見て外角一杯）付近のコースの目印としての役割を果たす。ここで、記入欄１５ＬＲ−ｉ内におけるコースの目印となる文字を「左」、「中」、「右」としたのは、打席に立っているのが左打者か右打者か、記入者が投手の後方、捕手の後方、ベンチなどのいずれの方向から目視しているかに関わらず記入内容に一貫性を持たせるためである。これにより、後の分析時における記入内容の見間違いが起こり難くなり、分析の速度が向上する。
【００１９】
記入欄１５ＵＤ−ｉ及び１５ＬＲ−ｉの上半分のスペースには、該当の投球における投球前の捕手のミットの構え位置を上下及び左右の２方向に分解して記述する。また、記入欄１５ＵＤ−ｉ及び１５ＬＲ−ｉの下半分のスペースには、該当の投球における投手が投げたボールの収まり位置を上下及び左右の２方向に分解して記述する。
【００２０】
具体的には、図２における記入欄１−８の記入例のように、記入欄１５ＵＤ−ｉ内の上段１３文字及び記入欄１５ＵＤ−ｉ内の上段９文字の中から捕手のミットの構え位置と対応する各一文字（記入欄１−８の例では、「膝」と「左」）を選び、選んだ文字を四角で囲む。また、記入欄１５ＬＲ−ｉ内の下段１３文字及び記入欄１５ＬＲ−ｉ内の下段９文字の中からボールの収まり位置と対応する各一文字（記入欄１−８の例では、「胸」と「左」の左隣の「・」）を選び、選んだ文字上に球種を示す記号（記入欄１−８の例では、「○」）を記述する。ここで、各球種を示す記号は、例えば以下の表１のようにするとよい。
【表１】
2014094049.tif 000003
【００２１】
図３において、記入欄１５ＬＲ−ｉの右隣りには、上下２段に分かれた記入欄１６−ｉ及び１７−ｉがある。記入欄１６−ｉ及び１７−ｉは、記入欄１１−ｉの４個分の左右幅を有している。記入欄１６−ｉ及び１７−ｉの上下幅は記入欄１１−ｉの上下幅と同じである。記入欄１６−ｉ内には、牽制を示す「牽」の文字と、１塁、２塁、３塁の各々を示す「１」、「２」、「３」の各文字が記されている。記入欄１７−ｉ内には、判定を示す「判」の文字と、ストライク、ボールの各々を示す「Ｓ」、「Ｂ」の各文字が記されている。記入欄１６−ｉには、投手が該当の投球の前に牽制を行った場合にその牽制の内容を記入する。記入欄１７−ｉには、該当の投球における審判の判定の内容に記入する。
【００２２】
具体的には、図２における記入欄１−２４の記入例のように、記入欄１６−ｉ内における投手が牽制をかけた塁の文字（記入欄１−２４の例では「１」）にスラッシュ（／）をつける。また、該当の投球がストライクと判定された場合、記入欄１７−ｉ内における「Ｓ」を○で囲む。また、該当の投球がボールと判定された場合、記入欄１７−ｉ内における「Ｂ」を○で囲む。
【００２３】
図３において、記入欄１６−ｉ及び１７−ｉの右隣りには、上下２段に分かれた記入欄１８−ｉ及び１９−ｉがある。記入欄１８−ｉ及び１９−ｉは、記入欄１１−ｉの３個分の左右幅を有している。記入欄１８−ｉ及び１９−ｉの上下幅は記入欄１１−ｉの上下幅と同じである。記入欄１８−ｉ内における左端の近傍には、サインプレイを示す「サ」の文字が記されている。記入欄１９−ｉ内における左端の近傍には、結果を示す「結」の文字が記されている。記入欄１８−ｉには、投手の各投球に対して相手チームがサインプレイ（盗塁、バンド、ヒッティング、バスター、ウェイト（待て）、ランエンドヒット、ヒットエンドラン、バントエンドラン、バスターエンドラン、エバース、スチールアンドエバースなど）を行った場合にそのサインプレイの内容を記入する。記入欄１９−ｉには、該当の投球の結果を記述する。
【００２４】
具体的には、図２における記入欄１−１７の記入例のように、相手チームが盗塁をしてきた場合は、記入欄１８−ｉ内における「サ」の右のスペースに「Ｓ」の文字を記入する。図２における記入欄１−７の記入例のように、相手チームがバントをしてきた場合は、記入欄１８−ｉ内における「サ」の右のスペースに「Ｂ」の文字を記入する。また、相手チームがヒッティングをしてきた場合は、記入欄１８−ｉ内における「サ」の右のスペースに「Ｈ」の文字を記入する。相手チームがバスターをしてきた場合は、記入欄１８−ｉ内における「サ」の右のスペースに「Ｂｓ」の文字を記入する。相手チームがウェイトをしてきた場合は、記入欄１８−ｉ内における「サ」の右のスペースに「Ｗ」の文字を記入する。相手チームがランエンドヒットをしてきた場合は、記入欄１８−ｉ内における「サ」の右のスペースに「ＳＨ」の文字を記入する。相手チームがヒットエンドランをしてきた場合は、記入欄１８−ｉ内における「サ」の右のスペースに「ＨＳ」の文字を記入する。相手チームがバントエンドランをしてきた場合は、記入欄１８−ｉ内における「サ」の右のスペースに「ＢＳ」の文字を記入する。相手チームがエバースをしてきた場合は、記入欄１８−ｉ内における「サ」の右のスペースに「ＷＢ」の文字を記入する。相手チームがスチールアンドエバースをしてきた場合は、記入欄１８−ｉ内における「サ」の右のスペースに「ＳＷＢ」の文字を記入する。
【００２５】
図３において、記入欄１８−ｉ及び１９−ｉの右隣りには記入欄２０−ｉがある。記入欄２０−ｉは、記入欄１１−ｉと同じ左右幅を有している。記入欄２０−ｉは、記入欄１１−ｉの２個分の上下幅を有している。記入欄２０−ｉには、該当の投球をバッターが打って得点が入った場合にその得点数を記入する。
【００２６】
図３において、記入欄２０−ｉの右隣りには、記入欄２１−ｉがある。記入欄２１−ｉは、記入欄１１−ｉの６個分の左右幅を有している。また、記入欄２１−ｉは、記入欄１１−ｉの２個分の上下幅を有している。記入欄２１−ｉ内の上部は４つのマス２２−ｉ、２３−ｉ、２４−ｉ、２５−ｉに分かれている。これらのうち一番左のマス２２−ｉには「・」の印が記されている。この印は、投手が投げたボールを打者が見逃したことを示すものである。左から２番目のマス２３−ｉには「・」の上に「―」を配した印が記されている。この印は、投手が投げたボールを打者が空振りしたことを示すものである。左から３番目のマス２４−ｉには、野球のプレイフィールドを模擬した図のフェア領域（レフト線とライト線に挟まれた領域）を着色した印が記されている。この印は、投手が投げたボールを打者が打って打球がフェア領域に飛んだことを示すものである。一番右のマス２５−ｉには、野球のプレイフィールドを模擬した図のファウル領域（レフト線とライト線の外側の領域）を着色した印が記されている。この印は、投手が打ったボールを打者が打って打球がファウル領域に飛んだことを示すものである。
【００２７】
記入欄２１−ｉ内の下部の左端近傍には「遅」という文字が記されている。この文字は、投手が投げたボールがホームベース上に達したタイミングよりも打者がバットを振ったタイミングが遅かったことを示すものである。記入欄２１−ｉ内の下部の右端近傍には「早」という文字が記されている。この文字は、投手が投げたボールがホームベース上に達したタイミングよりも打者がバットを振ったタイミングが早かったことを示すものである。記入欄２１−ｉの下部の中央には「ＤＰ」という文字が記されている。この文字は、投手が投げたボールがホームベース上に達したタイミングと打者がバットを振ったタイミングが合っていたことを示すものである。記入欄２１−ｉ内には、該当の投球に対する打者のアクション（見逃しまたは振り）の内容とその結果を記入する。
【００２８】
具体的には、図２における記入欄１−２６の記入例のように、該当の投球を打者が見逃した場合、マス２２−ｉ内の印（「・」の印）にスラッシュ（／）をつけ、「早」及び「遅」における振りのタイミングに応じた位置に縦線（｜）をつける。また、図２における記入欄１−１４の記入例のように、該当の投球を打者が空振りした場合、マス２３−ｉ内の印（「・」の上に「−」を配した印）にスラッシュ（／）をつけ、「早」及び「遅」における振りのタイミングに応じた位置に縦線（｜）をつける。また、図２における記入欄１−７の記入例のように、該当の投球を打者が打って打球がウェア領域に飛んだ場合、マス２４−ｉ内の印（フェア領域を着色した印）にスラッシュ（／）をつけ、「早」及び「遅」における振りのタイミングに応じた位置に縦線（｜）をつける。また、図２における記入欄１−１５の記入例のように、該当の投球を打者が打って打球がファウル領域に飛んだ場合、マス２５−ｉ内の印（ファウル領域を着色した印）にスラッシュ（／）をつけ、「早」及び「遅」における振りのタイミングに応じた位置に縦線（｜）をつける。
【００２９】
図１において、紙面における記入表７Ｌ及び７Ｒの下には、記入表８がある。記入表８は、野球のダイヤモンド（内野部分）を模擬した印の右上と左上に「内」と「外」の文字を配した記入欄２−ｉ（ｉ＝１〜２５）を上下２５個ずつ２段に分けて記したものである。ここで、図１では、簡便のため、記入欄２−２〜２−５０の符号の図示を割愛する。この記入欄２−ｉ（ｉ＝１〜２５）には、該当の投球を打者が打ってヒットにした場合に、打球が飛んだ方向を記入する。
【００３０】
図２において、記入表８の右側には記入欄９がある。この記入欄９は、スコアラーが解析対象チームについて気づいたことをコメントとして記入する。
【００３１】
以上が、本実施形態の構成の詳細である。本実施形態によると、次の効果が得られる。
第１に、本実施形態のスコアシート４の記入表７Ｌ及び７Ｒには、捕手のミットの構え位置と投手がその構えに対して投げたボールの収まり位置を二段併記する記入欄１５ＵＤ−ｉ及び１５ＬＲ−ｉが一方向に並べて配されている。このため、分析者は、記入済みの記入表７Ｌ及び７Ｒにおける記入欄１５ＵＤ−ｉ及び１５ＬＲ−ｉを目視しただけで、投手の各投球における捕手のミットの構えと投手がその構えに対して投じたボールの収まり位置のずれを把握することができる。よって、本実施形態によると、捕手が左打者に対して外角低めを要求した場合、捕手が右打者に対して真中低めを要求した場合…、といった様々な切り口で記入欄１５ＵＤ−ｉ及び１５ＬＲ−ｉの記録内容を分類して各々を簡単に統計情報化することができる。従って、本実施形態によると、特許文献１のような複雑なアルゴリズムを取り入れたコンピュータシステムに頼らずに、これと同様以上の信頼性を持った分析結果を得ることができる。
【００３２】
ここで、本実施形態のスコアシート４における記入欄１５ＵＤ−ｉ及び１５ＬＲ−ｉの記録内容を活用した分析例を紹介する。
ａ１．解析例１
分析対象チームの試合中における右打者への投球が４０球あり、４０球のうち捕手が内角にミットを構えたのは５球であった。この５球についてのボールの収まり位置を確認したところ、いずれもボールになっていた。このことから、分析対象チームの投手が右打者の内角を攻めた場合におけるストライクの奪取率は極めて低いという統計情報が得られる。このような統計情報が得られた場合、分析対象チームの投手が右打者と対峙したときの内角球はほとんどボールになるので外角に的を絞る、という戦略を立てることができる。
【００３３】
ａ２．分析例２
分析対象チームの試合中における左打者への投球が３５球あり、３５球のうち２０球が直球で１５球がスライダーであった。また、直球２０球のうち捕手がミットを内角に構えたのが１２球、ミットを外角に構えたのが８球であった。各々についてのボールの収まり位置を確認したところ、捕手がミットを内角に構えた１２球のうちボールがミットの構えと同じ位置に収まったのが１０球であり、捕手がミットを外角に構えた８球のうちボールがミットの構えと同じ位置に収まったのは１球であった。また、スライダー１５球のうちストライクになったのが２球であった。このことから、分析対象チームの投手が左打者と対峙した場合におけるスライダーと内角直球のストライク奪取率は極めて低いという統計情報が得られる。このような統計情報が得られた場合、分析対象チームの投手が左打者と対峙したときのスライダーと内角直球はほとんどボールになるので外角直球に的を絞る、という戦略を立てることができる。
【００３４】
第２に、本実施形態のスコアシート４の記入表７Ｌ及び７Ｒにおける試合経過記入欄１−ｉには、記入欄１１−ｉ、１２−ｉ、１３−ｉ、１４−ｉ、１６−ｉ、１７−ｉ、１８−ｉ、１９−ｉ、２０−ｉ、２１−ｉがある。よって、本実施形態によると、これらの記入欄１１−ｉ、１２−ｉ、１３−ｉ、１４−ｉ、１６−ｉ、１７−ｉ、１８−ｉ、１９−ｉ、２０−ｉ、２１−ｉの記入内容と記入欄１５ＵＤ−ｉ及び１５ＬＲ−ｉの記入内容の組み合わせを切り口として各記入欄の記録内容を分類することにより、より高度な分析を行うことができる。
【００３５】
ここで、本実施形態のスコアシート４における記入欄１１−ｉ、１２−ｉ、１３−ｉ、１４−ｉ、１６−ｉ、１７−ｉ、１８−ｉ、１９−ｉ、２０−ｉ、及び２１−ｉと記入欄１５ＵＤ−ｉ及び１５ＬＲ−ｉの記録内容の組み合わせを活用した分析例を紹介する。
【００３６】
ａ３．分析例３
分析対象チームの全投球分の記入欄１４−ｉの記録内容を確認したところ、試合中にボールカウントがツーナッシングという場面が１２回あった。この１２回の場面における記入欄１５ＵＤ−ｉ及び１５ＬＲ−ｉの記録内容を確認したところ、ストライクソーンの外に構えている回数が１２回であった。このことから、分析対象チームの投手はツーナッシングの場面においてストライクゾーン内に投げる確率が極めて低いという統計情報が得られる。このような統計情報が得られた場合、分析対象チームとの対戦においてツーナッシングになった場合、バットを振らずに見逃しの姿勢で臨む、という戦略を立てることができる。
【００３７】
ａ４．分析例４ 
分析対象チームの全投球分の記入欄１９−ｉ及び２１−ｉの記録内容を確認したところ、打者が引っ張ったファールを打つという機会が９回あった。この９回についての記入欄１５ＵＤ−ｉ及び１５ＬＲ−ｉの記録内容を確認したところ、ファールになった球がいかなる球であれ、打った球とその次に投げる球を変えた回数は８回であり、残りの１回は「ツーナッシングから外角直球のボール球を要求する」というセオリーに該当していた。このような統計情報が得られた場合、対戦相手チームの投手が投げられる変化球が３種類であればファウルを打つ前のものと異なる他の２つに絞ることができる。
【００３８】
ａ５．分析例５
分析対象チームの全投球分の記入欄１５ＵＤ−ｉ及び１５ＬＲ−ｉの記録内容を確認したところ、分析対象チームの投手（左投手）がカーブを投げた球の直後の直球が１４回あった。また、記入欄１３−ｉの記録内容を確認したところ、この投手が右打者と対峙した回数は６回、左打者と対峙した回数は８回であった。そして、この合計１４回のうち１２回はベルトより高い球であり、右打者の時は全てが外角のボール球であった。また、左打者の時は真ん中から内角に集まっていた。このような統計情報が得られた場合、右打者については、カーブの直後の直球を捨てる、という指示が有効となる。また、左打者については、ベルトから上の真ん中〜内角の球を狙う、という指示が有効になる。
【００３９】
ａ６．分析例６
分析対象チームの投手が完投し、投球数が１３５球であった。この１３５球分の記入欄１５ＵＤ−ｉ及び１５ＬＲ−ｉの記録内容を確認したところ、８５球が直球、３５球がスライダー、１５球がカーブであった。さらに、二塁への盗塁が可能な走者が１塁、１，３塁にいる状況において投じた２５球の配球について調べてみたところ、２０球が直球、３球がスライダー、２球がカーブであった。また、スライダーに関しては２ストライク後に限られており、カーブは初球の１球と２−３(フルカウント)の１球に限定されていた。このような統計情報が得られた場合、初球８球中７球は直球、それ以外２ストライクになるまでは直球、またスライダーは２−１、２−２に限られることがわかる。さらに、スライダーを投球した一球前の球を調べてみると、直球を引っ張ったファールや直球に対してタイミングの早い空振りをしている時に全て該当できるため、スライダーを投げるのは１−１、１−２の球でこのようなアクションを打者が行ったあとであると限定できる。
【００４０】
ａ７．分析例７
打者が予めバントを試みるということが分かっている時における記入欄１５ＵＤ−ｉ、１５ＬＲ−ｉ、及び１８−ｉの記録内容を確認してみたところ、セフティバントを除く、送りバント、バントのエバース（バントの構えからバットを意図的に引く行為）を行った機会は８回あった。そして、８回とも直球、捕手の要求は左右打者いずれも外角膝の高さであったものの、実際の投球は、２球が外角ベルト付近のボール球で、それ以外の６球はストライク・ボール問わずベルトより高めの真ん中から内角に収まっていた。また、８回のうちボールがストライクゾーンを通過していたのは３球であった。これは投手が打者にバントをやらせまいという意識が強く働くことで、はっきりとした投球内容になることがわかる。このことから、この投手と対戦する際のバント対策は、バントの意思を伝えることでボール球を選球し、内角高め（ベルトから胸）の球を一球でバントする準備を行っておくべきということがわかる。また、内角高め（ベルトから胸）が得意な打者には構えで気を引きバスターに転じるという策も立てることができる。
【００４１】
ａ８．分析例８
分析対象チームの全投球分の記入欄１５ＵＤ−ｉ及び１５ＬＲ−ｉの記録内容を確認したところ、分析対象チームの投手がチェンジアップを投球した回数は一試合で２０球であった。そして、この２０回のチェンジアップのうち７回は２ストライク後、１３回が０、１ストライク後の投球であった。さらに、２ストライク後のチェンジアップ７球は全てホームベースを通過するときに膝から地面の間を通過していた。また、０、１ストライク後のチェンジアップ１３球はベルトと膝の中間点から胸付近に収まっていた。このような統計情報が得られた場合、分析対象チームの投手は、２ストライクの時は意図的にボール球を振らせた上での空振りや内野ゴロを狙う傾向が強く、０、１ストライクの時は、打者のタイミングを外した上での空振りやファールを狙う傾向が強い、ということが分かる。よって、このような統計情報が得られた場合、チェンジアップを打ちに行くのであれば、０、１ストライクはベルトと膝の中間点から上の高さに意識を持ち、２ストライク後は全てボールであるため、膝より高いボールだけとらえるという心持ちで、チェンジアップを選択肢から消し、他の球を狙いに行く、という戦略を立てることができる。
【００４２】
ａ９．分析例９
分析対象チームにおける右打者に対する全投球の記入欄１５ＵＤ−ｉ及び１５ＬＲ−ｉの記録内容を確認したところ、捕手が膝の高さで真ん中から内角に構えたときに投手が直球を投げたのは１５球であり、捕手が外角に構えたときに投手が直球を投げたのは４０球であった。また、右打者に対する投球において、捕手の膝の高さで真ん中から内角構えに対して投手が投げた直球１５球のうちベルトから胸のストライクゾーンにボールが収まったのは１２球であり、残り３球のうち２球は膝からベルトの高さのストライク球、１球は顔の高さのボール球であった。このような統計情報が得られた場合、右打者が真ん中から内角を狙う場合にベルトから胸の高さを意識させるのが望ましいことになる。また、右打者に対する投球において、捕手の外角に構えに対して投手が直球を投げた４０球のうちベルトから胸のストライクゾーンにボールが収まったのは２０球であり、残り２０球のうち１０球が膝から下のボール球、６球が膝からベルトの高さで外角の左打者寄りに外れたボール球、４球がベルトから上の高さのストライク球であった。このような統計情報が得られた場合、右打者が外角を狙う場合は外角と膝のストライク・ボールの選球を予め認識し、膝からベルトの高さを意識させるのが望ましいことになる。
【００４３】
第３に、本実施形態におけるスコアシート４の記入表７Ｌ及び７Ｒでは、捕手のミットの構え位置と投手がその構えに対して投げたボールの収まり位置を上下及び左右の２方向に分解して上下二段併記する２つの記入欄１５ＵＤ−ｉ及び１５ＬＲ−ｉが左右方向に並べて配されている。ここで、従来のスコアブックの中には、３列３行の正方形をストライクゾーンに見立て、この正方形内における記号の記述位置によってボールのコースを表すものがある（特許文献１の図２参照）。これに対し、本実施形態では、２つの記入欄１５ＵＤ−ｉ及び１５ＬＲ−ｉ内における左右方向の記入位置によってボールのコースを表すため、１球あたりの記入に要するスペースの大きさは従来のスコアブックのものよりも小さくなる。よって、本実施形態によると、１枚の紙面上により多くの投球のコースに関わる情報を記録することができる。
【００４４】
第４に、本実施形態におけるスコアシート４の記入表７Ｌ及び７Ｒでは、記入欄１５ＵＤ−ｉには、上下方向のコースの目印となる「地」、「膝」、「ベ」、「胸」、「顔」の各文字が記されている。また、記入欄１５ＬＲ−ｉは、左右方向のコースの目印となる「左」、「中」、「右」の各文字が記されている。よって、本実施形態によると、スコアラーは、記入欄１５ＵＤ−ｉ及び１５ＬＲ−ｉ内における印をつける位置を容易に探すことができる。また、記入の段階から高め、低めではなく体や地面の部位や位置で認識することで、分析中から、分析結果まで具体的なイメージを持って行うことができる。
【００４５】
以上、本発明の一実施形態について説明したが、かかる実施形態に以下の変形を加えてもよい。
（１）上記実施形態では、記入表７Ｌ及び７Ｒには２５球分の試合経過記入欄１−ｉが並べて記されていた。しかし、試合経過記入欄１−ｉの個数を１〜２４個にしてもよいし、２６個以上にしてもよい。
【００４６】
（２）上記実施形態では、試合経過記入欄記入欄１−ｉは上下方向に並べて記されていた。しかし、試合経過記入欄記入欄１−ｉを上下に長い矩形上とした上でこれを左右方向に並べて記してもよい。
【符号の説明】
【００４７】
１…試合経過記入欄、４…野球用スコアシート、７…記入表、５、６、８…記入欄。
【図１】
2014094049.tif 000004
【図２】
2014094049.tif 000005
【図３】
2014094049.tif 000006